(57)【要約】      （修正有）【課題】熱気の発散を防ぎ保温効果と蒸すことにより表面を焦がすことない、深絞り、中絞り、浅絞りなどの焙煎状態が得られ保温が出来る、安全で軽くスムーズに稼動する一軸の回転攪拌焙煎機を提供する。【解決手段】撹拌装置付の多角形回転ドラム６の一軸の回転撹拌装置と、ウオーム回転手動機構により、安定させて、内部を回転させ焦げ付きを無くし、回転ドラム６にカバーをして二重に保温、特に大豆や薬草などはドラム６内表面の攪拌作用により、表面が焦げずに内部まで熱が浸透しているため、きな粉や薬草類など風味がよく、保温による熱気が充満し発散せずに従来にない焙煎が可能になり、ウオーム回転手動機構でハンドルＬを軽く回すことにより排出の安全とスムーズな操作が出来るようになった。【選択図】図３
0003169090.tif 000002
【実用新案登録請求の範囲】
【請求項１】
加熱源のバーナーBと、駆動装置により回転可能なドラム6を有し、ドラム
6の回転軸と、ドラム6とウオームJとウオーム・ホイールKの、回転軸と垂直な軸を有するドラム回転台2によって結合されており、ドラム回転シャフトの軸を支点として、焙煎後の排出時に、ウオームJとウオーム・ホイールKを回転させることで、ドラム6の仰角を低下させることを特徴とする回転攪拌焙煎機。
【考案の詳細な説明】
【技術分野】
【０００１】
多角形式回転ドラム6で内部に攪拌羽を設け、ウオームJとウオーム・ホイールKでドラム傾斜を固定させ、一軸の回転撹拌装置をモーターAで回転させ焦げ付きをなくし、回転ドラム6にカバー3をして保温する装置であり、燃料を用いる島田式回転攪拌焙煎機である。
【背景技術】
【０００２】
一軸の回転装置の多角形ドラム6と攪拌羽にて撹拌し回転台の架台1を安定する型にし、回転作業が安全で軽くスムーズに稼動することにより、熱効率を安定させ、焦げ付きをなくし、焙煎の深絞り、中絞り、浅絞りが可能になり、ドラム6にカバー3をして保温する装置である。
【考案の概要】
【考案が解決しようとする課題】
【０００３】
現在の回転攪拌焙煎機は原料排出時にドラム6を下に傾けた時にストッパーがないので、一人で作業する場合傾けた状態を維持するのは困難であり、ウォーム回転手動機構の操作ハンドルLの回転力と架台1の本体の安定により作業が安全にスムーズに稼動することが可能になった。
【課題を解決するための手段】
【０００４】
一軸回転構造による多角特異なドラム6を回転、低中速回転させながらLPガスコンロからの加熱で焙煎を行う方式で、ドラム6内部に攪拌羽を4箇所設け、ドラム6の形状、八角形（多角形）の構造とモーターAの低速回転による攪拌と、ドラム6の上部のカバー3が、ドラム6の熱した熱気の発散を防ぎ保温効果と蒸して表面を焦がすことなく焙煎が出来ようになり、バーナーBの取り付け部も回転して使用でき、ウオームJとウオーム・ホイルKでドラム傾斜を固定し、回転軸の架台1を安定する型にして回転作業がスムーズに稼動することにより熱効率を安定させ、楽な温度コントロールで表層部のみならず内部においても充分な焙煎状態が得られるようになった。
【考案の効果】
【０００５】
架台1上に回転可能なドラム回転台2に回転軸受けを設け、ウオームJとウオーム・ホイールKの回転軸をハンドルLにより回転させ、仰角を可能にし、ドラム回転台2を支点にし、モーターAの回転を伝えるワイヤー伝達歯車をプレート上のピーロー型ユニットEに取り付けて、一軸の回転装置形状によりドラム6のバランスを取り自由に上下低中速回転させることが可能になった。
【０００６】
投入時や搬出時にハンドルL操作により自由に調整、上下作動が出来るように左のハンドルLが架台1に取り付けられ、図1および図3のウオームJとウオーム・ホイールKをハンドルLで回転させることにより、ドラム6の角度が変えられ取り出し角度調整が出来る。
【図面の簡単な説明】
【０００７】
【図１】島田式回転撹拌焙煎機の右側面図である。
【図２】島田式回転撹拌焙煎機の左側面図である。
【図３】島田式回転撹拌焙煎機の平面図である。
【実施例】
【０００８】
従来の焙煎方式にないシンプルな構造による多角型回転撹拌保温式で一軸回転とウオームJとウオーム・ホイールKにより、排出装置等を簡易に、低速50〜80〜120RPMで穀類、糠、粉類、薬草類など様々の成分や組織が損なわれることなく、特に大豆や薬草などはドラム内表面の撹拌作用によりより良い焙煎度と内部中心部が同一し、いわゆる表面が焦げずに内部まで熱が浸透している為、きな粉や薬草類等風味がよく、カバー3の保温による熱気が充満し、いわゆる蒸し風呂風で熱が発散せず、本体を安定させる架台1により、従来にない安定した焙煎が可能になり、排出も安全に楽に出来るようになった。
【０００９】
一軸の回転装置の多角形ドラム6内部に攪拌羽をもうけ、ウオーム回転手動機構により、安定した低速回転で、攪拌し焦げ付きがなく、ドラム上部のカバー3の保温効果でドラム6を熱した熱気の発散を防ぎ、保温効果と蒸して表面を焦がすことなく、深絞り、中絞り、浅絞りなどの焙煎が可能になった。
【００１０】
多角形のドラム1と攪拌羽7をモーター3で低速回転し攪拌し、又ドラム8の上部に取り付けられたカバー1が熱した熱気の発散を防ぎ保温効果と蒸して表面を焦がすことなく、焙煎が出来るようになり、ウオーム回転手動機構により、排出が楽になった。。
【符号の説明】
【００１１】
1    架台
2    ドラム回転台
3    本体カバー
4    モーターカバー
5    ドラム反転シャフト
6    ドラム
7    バーナー用アーム
A    モーター（GM型）インバーター
B    バーナー（LPGストロングバーナー）
C    ピーロー形ユニット（UCP206）
D    ピーロー形ユニット（UCP205）
E    ピーロー形ユニット（UCP205）
F    ピーロー形ユニット（UCP203）
G    Vプーリー
H    Vプーリー
I    Vベルト
J    ウオーム（SWG3-R1）
K    ウオーム・ホイール（AG3-60R1）
L    ハンドル（φ200）
【図１】
0003169090.tif 000003
【図２】
0003169090.tif 000004
【図３】
0003169090.tif 000005
【手続補正書】
【提出日】平成23年5月10日(2011.5.10)
【手続補正１】
【補正対象書類名】実用新案登録請求の範囲
【補正対象項目名】全文
【補正方法】変更
【補正の内容】
【実用新案登録請求の範囲】
【請求項１】
加熱源のバーナーBと、ドラム6の容器の底外側中心に取り付けられたドラムシャフト8軸と、ドラム回転台2がピーロー形ユニットEで接続され、ドラム回転モーターAの駆動装置により、加工物を本機ドラム6内で攪拌回転しながらバーナーで焙煎する時に火力温度を回転ドラム6に伝え、ドラム回転台2と垂直な軸に自由に角度調節出来る機構のウオームJとウオーム・ホイールKの歯合わせにより、ドラム反転ハンドルJで回転ドラム6の傾斜角度を変えながら、バーナーBと回転ドラム6の間隔距離を自由に調整変更出来る機能構造とした。したがって、加工物の焙煎温度を角度調整により、自由に変更しながら焙煎が容易に出来、焙煎後の排出時にも、ドラム回転台2の垂直な軸を支点として、ドラム反転ハンドルJを回転させることで、ドラム6の仰角を低下、安定させて、取り出すことが簡単に出来るようになった機能の回転攪拌焙煎機